(57)【要約】      （修正有）【課題】導光板、反射シート、拡散板等の出し入れが容易な照明装置を提供する。【解決手段】複数本の枠材で多角形の枠状に組み立てられたケース２と、ケース２内に配置されたＬＥＤと、電源回路と、ケース２内に積層配置される面状照射材を備えている。揺動材３は天井や壁面等の取付け部１１に取付け定可能な支持材４０に揺動材３が開閉可能に取り付けられており、ケース２の少なくとも一以上の揺動材３をケース２の外側に開くとケース２の当該揺動材３の部分が開口し、その開口部から面状照射材をケース２内に収納したり、ケース２内に積層配置されている面状照射材を開口部から引き出したりすることができる。開いている揺動材３を閉じると開口部が閉塞され、面状照射材がケース２内から抜け落ちないようにした。【選択図】図１
2015072840.tif 000002
【特許請求の範囲】
【請求項１】
ＬＥＤ光源から出射されるＬＥＤ光を拡散して、ＬＥＤ光をケース前面から外に照射する照明装置において、
多角形の枠状に組み立てられたケース内に、ＬＥＤと、電源回路が収納され、面状照射材が積層配置され、
前記ケースは天井や壁面の取付け部に取付け可能なコーナー部材又は支持材に揺動材が開閉可能に取り付けてあり、
前記ケースの少なくとも一本の揺動材をケースの外側に開くと、ケースの当該揺動材の部分が開口し、この開口部から面状照射材を個別に又は積層状態で前記ケース内に押し込んで収納することができ、又は、ケース内に積層配置されている面状照射材を個別に又は積層状態で前記開口部から引き出すことができ、
開いている揺動材を閉じると前記開口部が閉塞されて、ケース内の面状照射材が揺動材で支持されてケースから抜け落ちないようにした、
ことを特徴とする照明装置。
【請求項２】
ＬＥＤ光源から出射されるＬＥＤ光を拡散して、ＬＥＤ光をケース前面から外に照射する照明装置において、
天井や壁面等に取付けられる支持材又はコーナー部材と、支持材又はコーナー部材に開閉可能に嵌合される揺動材と、それら支持材又はコーナー部材と揺動材を組み立てて形成されるケース内に配置されるＬＥＤと、電源回路と、面状照射材を備え、
支持材又はコーナー部材を天井や壁面等に取付け、その支持材又はコーナー部材に揺動材を開閉可能に取付けてケースを形成することができ、
前記ケースの少なくとも一以上の揺動材を外側に開くと、ケースにおける当該揺動材の部分が開口し、この開口部から面状照射材を個別に又は積層状態で前記ケース内に押し込んで収納することができ、又は、前記ケース内に積層配置されている面状照射材を個別に又は積層状態で前記開口部から引き出すことができ、
開いている前記揺動材を閉じると前記開口部が閉塞されて、前記面状照射材が、前記ケースの前記揺動材で支持されてケース内から抜け落ちないようにした、
ことを特徴とする照明装置。
【請求項３】
ＬＥＤ光源から出射されるＬＥＤ光を拡散して、ＬＥＤ光をケース前面から外に照射する照明装置において、
天井や壁面等に取付けられるケース基盤と、ケース基盤に取付けられる支持材又はコーナー部材と、支持材又はコーナー部材に開閉可能に嵌合される複数本の揺動材と、それら支持材又はコーナー部材と揺動材を組み立てて形成されるケース内に配置されるＬＥＤと、電源回路と、面状照射材を備え、
支持材又はコーナー部材を前記ケース基盤に取付け、その支持材又はコーナー部材に揺動材を開閉可能に取付けてケースを形成することができ、
前記ケースの少なくとも一以上の揺動材を外側に開くと、ケースにおける当該揺動材の部分が開口し、この開口部から面状照射材を個別に又は積層状態で前記ケース内に押し込んで収納することができ、又は、前記ケース内に積層配置されている面状照射材を個別に又は積層状態で前記開口部から引き出すことができ、
開いている前記揺動材を閉じると前記開口部が閉塞されて、前記面状照射材が、前記ケースの前記揺動材で支持されてケース内から抜け落ちないようにした、
ことを特徴とする照明装置。
【請求項４】
請求項１から請求項３のいずれか１項に記載の照明装置において、
ケース内に、少なくともＬＥＤを収納可能なＬＥＤ収納部と、電源回路を収納可能な電源回路収納部があり、ＬＥＤ収納部はケース内に積層配置される導光板の側方に配置されて、ＬＥＤ光が導光板の外周端面から入射されるようにした、
ことを特徴とする照明装置。
【請求項５】
請求項１から請求項４のいずれか１項に記載の照明装置において、
揺動材は支持部を備え、支持部は揺動材を閉じると、ケース内に積層配置された面状照射材の外周部を支持できる、
ことを特徴とする照明装置。
【請求項６】
請求項１から請求項５のいずれか１項に記載の照明装置において、
ケースの外に屋内配線器具と電気結線可能な電気接続具を設けた、
ことを特徴とする照明装置。
【請求項７】
請求項１から請求項６のいずれか１項に記載の照明装置において、
導光板又は拡散板の前面に、透光性があり且つメディアが表示されたメディアフィルムが配置されて、照明光により前記メディアが照明表示されるようにした、
ことを特徴とする照明装置。
【請求項８】
請求項７記載の照明装置において、
メディアフィルムの表面に透光性の保護フィルムを設けた、
ことを特徴とする照明装置。
【発明の詳細な説明】
【技術分野】
【０００１】
本発明は、ＬＥＤを使用した照明装置に関し、天井や壁面等に取り付けて使用可能な照明装置に関する。
【背景技術】
【０００２】
近年、光源にＬＥＤを使用した照明装置が開発されている。ＬＥＤから出射される光（ＬＥＤ光）は直進性があるためそのままでは点状の照明になる。ＬＥＤ光で広範囲を照明できるようするため、ＬＥＤ光を導光板で導光し、導光された光を拡散板で拡散して面照明できるようにした照明装置がある。更には、導光板の背面に反射シートを配置して、導光板の背面に漏洩する光を導光板に戻し、拡散板で拡散して、拡散板の前面から出射させるようにしたものもある（特許文献１）。
【０００３】
特許文献１の照明装置は、通常、ケース内にＬＥＤ、ＬＥＤ用電源、駆動回路、制御回路等が内装され、ケース内に導光板、反射シート、拡散板等がセットされる。場合によってはケース前面に保護カバーを被せることもある。導光板、反射シート、拡散板等をケースに出し入れしたり、ケース内の部品交換をしたりするには、ケースを分解したり、保護カバーをケースから取り外したり、保護カバーを開いてケースの下に垂らしたり（吊り下げたり）している。
【先行技術文献】
【特許文献】
【０００４】
【特許文献１】特開２００９−２３８７３３号公報
【発明の概要】
【発明が解決しようとする課題】
【０００５】
天井に取り付けられている照明装置の保守、点検、修理等をするためには、脚立や梯子を使用して上り下りしなければならず作業が面倒である。また、ケースを分解したり、保護カバーを取り外したりしなければならずそれら作業が面倒である。保護カバーを取り外した場合は保護カバーを持って脚立や梯子を上り下りしなければならず危険でもある。保護カバーを開いてケースの下方に垂らす場合は、照明装置の下に什器や荷物があると、保護カバーを十分に開くことができず作業し難く、特に、導光板、反射シート、拡散板等を出し入れし難い。什器や荷物を移動すれば下まで垂らすことができるが、移動が面倒である。
【０００６】
本発明はＬＥＤ光を広い範囲に亘って効率良く照明でき、ケース内の部品交換、導光板、反射シート、拡散板等の出し入れや、保守、点検等の作業を簡便に行うことのできる照明装置を提供することにある。
【課題を解決するための手段】
【０００７】
本発明の照明装置はＬＥＤから出射される光（ＬＥＤ光）を拡散してＬＥＤ光をケース前面から外に照射する照明装置である。本発明の照明装置はケース仕様、直付け仕様、基盤仕様の各種形態がある。
【０００８】
ケース仕様の照明装置は、ケース内にＬＥＤと、ＬＥＤの点灯・消灯、制御等に必要な電源回路（トランス、インバータ等を備えた電源変換部、駆動回路、制御回路等）が設けられており、このケース内に、導光板と反射シート、又は導光板と拡散板、又は導光板と反射シートと拡散板（本願において、これら個々の部材を「面状照射材」という。）が積層配置されている。ケースは天井や壁面等に取付け固定枠に複数の揺動材が個別に揺動（開閉）可能に取り付けられて、多角形の枠状（ケース）に形成されている。ケースは一以上の揺動材をケースの外側に開くと、ケースの当該揺動材部分が開口し、この開口部から面状照射材を個別に又は積層状態で前記ケース内に押し込んで収納することができる。また、ケース内に積層配置されている面状照射材を個別に又は積層状態で前記開口部から引き出すことができる。揺動材を閉じると前記開口部が閉塞されて、ケース内の面状照射材が揺動材で支持されてケースから抜け落ちないようにしてある。前記固定枠は複数のコーナー部材と複数の支持材で形成される。
【０００９】
前記固定枠は複数のコーナー部材と複数本の支持材で連結されて多角形の枠状に形成されている。コーナー部材は「く」字形（略「く」字形を含む）であり、支持材は細長である。
【００１０】
直付け仕様の照明装置は、コーナー部材と支持材で枠状に組み立てておくのではなく（ケース仕様にせずに）、コーナー部材と支持材の双方又はいずれか一方を天井や壁面等に直に取り付けて固定枠を形成し、その固定枠に揺動材を開閉可能に取り付けてケースに組み立てるものである。そのケース内にＬＥＤと、電源回路と、面状照射材が収納配置されるものである。前記ケースの少なくとも一以上の揺動材をケースの外側に開くと、ケースの当該揺動材部分が開口し、この開口部から面状照射材を個別に又は積層状態で前記ケース内に押し込んで収納することができる。また、ケース内に積層配置されている面状照射材を個別に又は積層状態で前記開口部から引き出すことができる。開いている揺動材を閉じると前記開口部が閉塞されて、ケース内の面状照射材が揺動材で支持されてケースから抜け落ちないようにすることができる。
【００１１】
前記直付け仕様の場合は、天井や壁面等へ取付ける支持材の位置決めし難いため、本発明ではケース基盤を使用する構造（基盤仕様）とすることもできる。基盤仕様は、板状のケース基盤に、コーナー部材と支持材の双方又はいずれか一方を取り付けて固定枠を形成しておき、その固定枠に揺動材を開閉可能に取り付けてケースを形成する。このケース基盤を天井や壁面等に取り付けることにより、ケースを天井や壁面等に取り付けるようにしたものである。この場合も、ケース内には少なくともＬＥＤと、電源回路と、面状照射材が収納配置される。前記ケースの少なくとも一以上の揺動材をケースの外側に開くと、ケースの当該揺動材部分が開口し、この開口部から面状照射材を個別に又は積層状態で前記ケース内に押し込んで収納することができる。また、ケース内に積層配置されている面状照射材を個別に又は積層状態で前記開口部から引き出すことができる。開いている揺動材を閉じると前記開口部が閉塞されて、ケース内の面状照射材が揺動材で支持されてケースから抜け落ちないようにすることができる。
【００１２】
前記いずれの仕様であっても、ケース内には、少なくともＬＥＤを収納可能なＬＥＤ収納部と、電源回路を収納可能な電源回路収納部を設ける。ＬＥＤ収納部はケース内に積層配置される導光板の側方に配置されて、そのＬＥＤ収納部に収容配置されたＬＥＤからのＬＥＤ光が導光板の外周端面から入射されるようにしてある。電源回路収納部は固定材又はコーナー部材と別材の補助材をケース、又は天井や壁面、又はケース基盤に取り付けて形成することができる。
【００１３】
前記揺動材は受け部を備え、受け部は揺動材を閉じると、ケース内に積層配置された面状照射材の外周部を支持できるようにしてある。前記ケースの外には、屋内配線器具と電気結線可能な電気接続具を取り付けておくこともできる。この場合は、ケースを天井に固定することなく、天井に吊り下げて、前記電気接続具を屋内配線器具と電気結線して使用することができる。
【００１４】
本発明では導光板又は拡散板の前面（照射面前方）に透光性があり、装飾模様、図形、広告文（コマーシャル）、お知らせ等の各種メディアが表示されたメディアフィルムを配置して、照明光により前記メディアが照明表示されるようにすることもできる。メディアフィルムの表面に透光性の保護フィルムを設けることもできる。
【発明の効果】
【００１５】
本発明の照明装置は次の効果を奏する。
（１）ケース仕様の場合は、多角形のケースの少なくとも一つの揺動材を開いて、ケースの当該揺動材部分を開口させるだけで、その開口部から面状照射材を個別に又は積層状態でケース本体に出し入れすることができるので、高所でのそれらの作業が容易である。また、ケースが枠状であるため天井や壁面への取付けが容易である。
（２）直付け仕様の場合は、支持材を個別に天井や壁面等に取り付け、それら支持材に枠材を開閉可能に取り付けて、サイズ、形状等を現場の天井や壁面等の広さ、形状等に合わせてケースを組み立てることができるので、現場に調和した形状、サイズの等のケースを組み立てることができる。また、異なるサイズ、形状のケースを各種用意しておく必要がなく、在庫管理、運搬等に便利である。
（３）基盤仕様の場合は、ケース基盤を天井や壁面等に取り付けるだけで照明装置の取付けができるため、取付け作業が容易である。
（４）ケースに汎用（一般）の屋内配線器具と電気結線可能な電気接続具を設けた場合は、照明装置の電気配線が容易になり、照明装置を天井に吊り下げることもできる。
（５）メディアフィルムを配置した場合は、照明光によりメディアが照明表示されるため、斬新なメディア照明ができる。
【図面の簡単な説明】
【００１６】
【図１】本発明の照明装置の一部を切断した斜視図。
【図２】本発明の照明装置の一部の枠材を開いた状態の全体説明図。
【図３】（ａ）は本発明の照明装置の枠材を閉じた状態の一部断面部、（ｂ）は支持材の側方片の連結孔の説明図、（ｃ）は揺動材の側壁部の連結孔の説明図。
【図４】本発明の照明装置の一部の枠材を開いた状態の断面図。
【図５】（ａ）〜（ｄ）は本発明の照明装置の組み立て説明図。
【図６】（ａ）は本発明の照明装置における揺動材の説明図、（ｂ）は本発明の照明装置における支持材の説明図。
【発明を実施するための形態】
【００１７】
（実施例１：ケース仕様）
本発明の照明装置の実施形態の一例を図面に基づいて説明する。図１に示した照明装置１はケース２（図１）が、予め、長方形の枠状に組み立てられているケース仕様の場合である。本発明のケース２は長方形に限られず三角形以上の多角形とすることができる。
【００１８】
図１に示す照明装置１では、ケース２内に、ＬＥＤ４（図３（ａ）、図４）、ＬＥＤ４の点灯・消灯、制御等に必要な電源回路が設けられている。電源回路はトランス、インバータ等を備えた電源変換部、駆動回路、制御回路等を含む。電源変換部とそれに必要な回路は電源ボックス５（図３（ａ）、図４）に内蔵されてケース２内に収納固定されている。ケース２内の前面（図１では下面）には面状照射材（図３（ａ）に示した例では、導光板６と、反射シート（フィルム）７と、拡散板８）が積層配置されている。この照明装置ではＬＥＤ光が導光板６の外周端面９（図３（ａ））に入射して導光板６の全域に導光され、拡散板８で拡散されてその前面からケース２の先方（外）に出射される。導光板６の背面に漏洩する光は反射シート７で反射されて導光板６に戻され、導光板６から拡散板８に入射されて拡散板８内で拡散され、拡散板８の前面からケース２の先方（外）に照明光として出射されるようにしてある。屋内配線がＬＥＤの点灯に必要な直流配線、例えば、ＬＥＤの駆動電圧であるＤＣ２４Ｖ、その他のＤＣ電圧の場合は、電源変換部は不要になる。この場合は電源変換部を収容する電源ボックス５も不要となる。
【００１９】
（ケース）
図１に示すケース２は、天井や壁面等に取付け可能な固定枠Ｆ（図５（ａ））に、複数本の揺動材３（図１、図２）を個別に揺動（開閉）可能に被せて（嵌合して）多角形の枠状に形成してある。固定枠Ｆは図５（ａ）に示すように、方形に配置された四つの「く」字状のコーナー部材１０と四本の支持材４０で形成される。四つの「く」字状のコーナー部材１０と四本の支持材４０は方形連結してもよく連結しなくてもよい。連結した場合も、連結しない場合も、コーナー部材１０と支持材４０に揺動板３を嵌合させることにより、ケース２が方形に維持される。
【００２０】
コーナー部材１０は、図１、図５（ａ）に示すように直角形（「く」字状）であり、天井や壁面等の取付け部１１（図３（ａ））に取付け可能な取付け片１２と湾曲凸部１３を備えている。
【００２１】
支持材４０は、図１、図５（ａ）に示すように細長であり、天井や壁面等の取付け部１１（図３（ａ））に取付け可能な取付け片４１と、湾曲凸部４２と、側方片４３を備えている。
【００２２】
揺動材３は、図２、図５（ｃ）に示すように側壁部１４と、湾曲凹溝１５と、支持部１６を備えている。支持部１６は積層された導光板６、反射シート７、拡散板８を支持できるものである。
【００２３】
前記揺動材３は、その湾曲凹溝１５を図３（ａ）、図４に示すように、コーナー部材１０の湾曲凸部１３と支持材４０の湾曲凸部４２の外周に揺動（開閉）可能嵌合してケース２としてある。揺動材３は前記開閉により、図３（ａ）のようにケース２の側面を閉塞でき、図４のようにケース２の側面を開口することができる。
【００２４】
図２〜図４のように嵌合された支持材４０と揺動材３は支持材４０の側方片４３と揺動材３の側壁部１４が内と外に重ねられ、支持材４０の側方片４３の連結孔２０（図３（ｂ）、図６（ｂ））と揺動材３の側壁部１４の連結孔２１（図３（ｃ）、図６（ａ））に連結ピンＰを差し込んで連結してある。
【００２５】
前記連結孔２０は、図３（ｂ）、図６（ｂ）に示すように横長孔であり、揺動材３の側壁部１４の連結孔２１は、図３（ｃ）、図６（ａ）に示すように横長孔２１ａと縦長孔２１ｂが連通された鉤形である。両連結孔２０、２１に差し込まれた連結ピンＰは、横長孔２１ａの軸線方向に往復スライドできるようにしてある。このスライド構造とすることにより、揺動材３が下向きに閉じた状態（図３（ａ））で連結ピンＰを横長孔２１ａの右側にスライドさせると揺動材３が支持材４０にロックされて揺動せず、このロック状態で連結ピンＰを横長孔２１ａの左側にスライドさせて縦長孔２１ｂの位置まで移動させると、前記ロックが解除されて揺動材３が図４のように横向きに開くようにしてある。この場合、揺動材３の側壁部１４の連結孔２１は連結ピンＰから外れるが、揺動材３の湾曲凹溝１５の両端のストッパー２２、２３（図３（ａ）、図４）が支持材４０の側方片４３（図３（ａ）、図４）に係止するので、揺動材３が支持材４０から外れることはない。前記連結孔２０、２１と連結ピンＰによる連結構造及び動作は、コーナー部材１０についても同様とすることができる。
【００２６】
揺動材３を図４のように外側に開くと、ケース２のうち揺動材３で囲われている部分（ケース２の四周の一周面）が開口されて開口部２４（図４）が形成される。この開口部２４から、ケース２内に積層配置されている反射シート７、導光板６、拡散板８を個別に又は積層状態で引き出したり、それらを個別に又は積層状態でケース２内に差し込んだりすることができる。また、図４のように開いた揺動材３を戻して閉じると、ケース２の前記開口部２４が図３（ａ）のように閉塞されて、ケース２内に積層配置されている反射シート７、導光板６、拡散板８の外周部分が揺動材３の支持部１６で支持されるようにしてある。
【００２７】
前記支持材４０の取付け片４１には止め孔２５（図１）が開口されており、その止め孔２５にネジ、ビス、ロックピン等の止め具２６（図１）をねじ込んだり、差し込んだりして、天井板や壁面板等の取付け部（例えば、不燃ボード）１１（図３（ａ）、図４）に固定できるようにしてある。
【００２８】
揺動材３、コーナー部材１０、支持材４０はアルミ製、硬質樹脂製が適する。揺動材３、コーナー部材１０、支持材４０は緩やかに湾曲する弧状にして、コーナー部材１０、支持材４０に支持される揺動材３を開閉可能に嵌合できるようにすることもできる。この場合は、面状照射材の輪郭も前記湾曲に合わせて弧状にして、揺動材３がスムースに開閉できるようにするのがよい。
【００２９】
前記揺動材３の側壁部１４の内側にはＬＥＤ収容部２８（図３（ａ）、図４）が設けられている。このＬＥＤ収容部２８はＬＥＤ４が搭載されている配線基板２９を収容配置できる広さであり、側壁部１４の軸方向略全長に設けられている。
【００３０】
前記ケース２内には電源回路が内蔵された電源ボックス５（図３（ａ）、図４）を収納可能な電源収納部３０がある。図３（ａ）、図４ではＺ字状の補助材３１を支持材４０の取付け片４１の内側に重ね、その補助材３１を支持材４０と共に、又は支持材４０とは別に、止め具２６により天井板、壁面や等の取付け部１１に固定することにより、補助材３１と取付け部１１の間に形成される空間部を電源収納部３０としてある。
【００３１】
図２に示す３２ａ、３２ｂは電源コード（リード線）であり、外部電源と接続して、電源ボックス５に電源を供給するものである。図２の３４、３５はコネクタである。電源ボックス５に接続された他方のリード線３３は、コネクタ３６、３７の連結により配線基板２９に配線されているリード線３８と接続されて、配線基板２９に搭載されているＬＥＤ４に電源供給できるようにしてある。
【００３２】
本発明の照明器具では、電源コード（リード線）３２ａ、３２ｂの先に、天井から引き出されている屋内配線器具（引っかけシーリング、ローゼット等）に連結接続可能な接続器具を取り付けておくこともできる。この場合は、それら接続器具を屋内配線器具に連結接続することにより、ケース２を天井に吊り下げた状態で使用することができる。
【００３３】
（導光板）
前記導光板６はその外周端面から入射されるＬＥＤ光を当該導光板６の全般に導くものである。導光板６には汎用品（市販品）を使用することができる。
【００３４】
（反射シート）
前記反射シート７は導光板６の裏面（内面）に積層配置されており、当該導光板６の裏面に漏洩する光を反射して導光板６に戻し、導光板６から拡散板８に入射させて、拡散板８からその先方に出射されるようにするものである。反射シート７にも汎用品（市販品）を使用することができる。
【００３５】
（拡散板）
前記拡散板８は導光板６の表面（外面）に積層されて、導光板６の前面から出射される光を当該拡散板８内に拡散させて、拡散板８の前面から外部に出射するものである。拡散板８にも汎用品（市販品）を使用することができる。
【００３６】
導光板６、反射シート７、拡散板８は単に積層するだけでも良いが、必要であれば、それらの外周部を接着固定することもできる。
【００３７】
図示したケース２は長方形の枠状であるが、本発明の照明装置１のケース２は長方形以外の枠状であってもよく、例えば、三角形、五角形等々とすることもできる。ケース２の形状によっては導光板６、反射シート７、拡散板８等を出し入れするには、二以上の揺動材３を開閉する必要もある。
【００３８】
図５（ａ）に示す固定枠Ｆは四つのコーナー部材１０と四本の支持材４０で形成されているが、四本の揺動板３を四つのコーナー部材１０に揺動可能に嵌合してケース２を方形に維持できれば支持材４０は不要である。四本の揺動板３を四本の支持材４０に揺動可能に嵌合してケース２を方形に維持できればコーナー部材１０は不要である。四つのコーナー部材１０だけを使用する場合は、四つのコーナー部材１０の両翼片を長くして揺動材３を確実に嵌合できるようにするのが望ましい。
【００３９】
（実施例２：直付け仕様）
本願発明の照明装置１は、「く」字状のコーナー部材１０（図５（ａ））、支持材４０（図５（ａ））で多角形の枠状に組み立ててケース２を形成するのではなく、コーナー部材１０と支持材４０を、現場の天井や壁面等の取付け部１１に直に取付け、そのコーナー部材１０（図４）、支持材４０に揺動材３を開閉可能に嵌合して、多角形の枠状のケース２に組み立てる（現場施工での直付け仕様とする）こともできる。この場合の支持材４０、コーナー部材１０は、前記ケース仕様の場合のそれらと同じ形状、構造の物を使用することができる。この場合も、四本の支持材４０を取付け部１１に方形枠状に取り付け可能であればコーナー部材１０は不要である。四つのコーナー部材１０を取付け部１１に方形枠状に取り付け可能であれば四本の支持材４０は不要である。四つのコーナー部材１０だけを使用する場合は、四つのコーナー部材１０を長くして揺動材３を確実に嵌合できるようにするのが望ましい。
【００４０】
前記コーナー部材１０及び支持材４０と揺動材３の嵌合及び開閉構造は前記ケース仕様の場合と同様である。ケース２内にＬＥＤ収納部２８、電源収納部３０を設け、電気配線を行うことも、前記ケース仕様の場合と同様である。
【００４１】
（実施例３：基盤仕様）
本発明の照明装置１は、ケース基盤を使用する構造（基盤仕様）とすることもできる。この場合は、支持材４０とコーナー部材１０を一枚の板状のケース基盤５０（図５（ｂ））に取り付け、それら支持材４０とコーナー部材１０に揺動材３を開閉可能に嵌合して、ケース基盤５０にケース２を組み立てておき、そのケース基盤５０を天井や壁面等の取付け部１１に取り付けることもできる。この場合のコーナー部材１０、支持材４０、揺動材３の形状、構造、電気配線等も、実施例１、２の場合と同様にすることができる。ケース基盤５０には天井や壁面等の材質と同じもの或いは異なるものを使用することができる。そのサイズは、現場の形状や広さに合わせて設計することができる。この場合も、コーナー部材１０と支持材４０のいずれか一方のみを使用することもできる。
【００４２】
（実施例４：メディアフィルム）
本発明では前記いずれの仕様の場合も、導光板６又は拡散板８の前面（照射面前方面）に透光性のあるフィルムを配置して、そのフィルムに表示してある模様、図形、広告文、お知らせ等の各種メディアが照明表示されるようにすることもできる。前記フィルム（メディアフィルム）に表示するメディアは任意のものとすることができる。前記メディアフィルムには照明光の熱で変形しない特性のものを使用するのが望ましい。
【００４３】
メディアフィルムを使用する場合は、その保護のために、メディアフィルムの表面に透光性の保護フィルムを設けることもできる。保護フィルムはメディアフィルムの表面にカバーしておくこともできる。
【００４４】
本発明の照明装置１の形状、構造、電気配線等は、夫々の目的、機能を達成できれば、他の形状、構造等々とすることができる。
【産業上の利用可能性】
【００４５】
本発明の照明装置１は、例えば、屋外の壁面、公共施設の天井や壁面、駅構内、空港内、乗り物内といった各種箇所に取り付けることができる。
【符号の説明】
【００４６】
１      照明装置
２      ケース
３      揺動材
４      ＬＥＤ
５      電源ボックス
６      導光板
７      反射シート（フィルム）
８      拡散板
９      （導光板の）外周端面
１０    コーナー部材
１１    （天井や壁面等の）取付け部
１２    （コーナー部材の）取付け片
１３    （コーナー部材の）湾曲凸部
１４    （揺動材の）側壁部
１５    （揺動材の）湾曲凹溝
１６    （揺動材の）支持部
１７    （コーナー部材の）側方片
２０    （支持材の側方片の）連結孔
２１    （揺動材の側壁部の）連結孔
２１ａ  （連結孔の）横長孔
２１ｂ  （連結孔の）縦長孔
２２    ストッパー
２３    ストッパー
２４    （ケースの）開口部
２５    （取付け片の）止め孔
２６    止め具
２８    ＬＥＤ収容部
２９    配線基板
３０    電源収納部
３１    補助材
３２ａ  電源コード（リード線）
３２ｂ  電源コード（リード線）
３３    リード線
３４    コネクタ
３５    コネクタ
３６    コネクタ
３７    コネクタ
３８    リード線
４０    支持材
４１    取付け片
４２    湾曲凸部
４３    側方片
５０    ケース基盤
Ｆ      固定枠
Ｐ      連結ピン
【図１】
2015072840.tif 000003
【図２】
2015072840.tif 000004
【図３】
2015072840.tif 000005
【図４】
2015072840.tif 000006
【図５】
2015072840.tif 000007
【図６】
2015072840.tif 000008